(57)【要約】【課題】  原付玩具自動車が水平方向の平面車道上を単純に走行するだけでなく、立体状に構成した立体車道の螺旋車道、宙返り車道その他も走行できるようにして、裏返し走行、横向き走行等をさせ、あらゆる姿勢の走行でスリルも味わうことができるようにし、前記立体車道は製作法を簡易化し、片面走行方式として支持用の取付脚は省略して、製造コストを大幅に軽減させ、狭い場所でも楽しめる原付玩具自動車セットを提供する。【解決手段】  プラスチック材でなる原付玩具自動車１と、この原付玩具自動車１を走行させる立体車道５とを備えた原付玩具自動車セットにおいて、前記原付玩具自動車１には台車２の底面の中心部に、板状で表面がＮ極またはＳ極となるように着磁された永久磁石３を、前記立体車道５と接触しない位置に設け、前記立体車道５はプラスチック材でループ状に形成され、この立体車道５の中央部一表面に、磁性体でなり帯状の金属レール６を備えるように構成する。【選択図】図６
2008132306.tif 000002
【特許請求の範囲】
【請求項１】
プラスチック材でなる原付玩具自動車と、この原付玩具自動車を走行させる立体車道とを備えた原付玩具自動車セットにおいて、前記原付玩具自動車には台車の底面の中心部に、板状で表面がＮ極またはＳ極となるように着磁された永久磁石を、前記立体車道と接触しない位置に設け、前記立体車道はプラスチック材でループ状に形成され、この立体車道の中央部一表面に、磁性体でなり帯状の金属レールを備えたことを特徴とする原付玩具自動車セット。
【請求項２】
前記立体車道はループ状に形成され、このループ状の途中の床に接する部分は水平車道およびＬ字曲折車道とし、これに接続される螺旋車道、ジェットコースタ車道、捩れ車道、垂直車道および宙返り車道を、一個または複数個組み合わせて構成することを特徴とする請求項１記載の原付玩具自動車セット。
【請求項３】
前記立体車道はループ状に形成され、このループ状の途中の床に接する部分は水平車道およびＬ字曲折車道とし、これに接続される螺旋車道、ジェットコースタ車道、捩れ車道、垂直車道または宙返り車道のいずれかを、一個または複数個組み合わせて構成することを特徴とする請求項１記載の原付玩具自動車セット。
【請求項４】
前記立体車道はループ状に形成され、このループ状の途中の床に接する部分の水平車道およびＬ字曲折車道には、Ｌ字状の台棒の両端を両水平車道の側面に嵌合自在にした安定台を設けることを特徴とする請求項２または３記載の原付玩具自動車セット。
【発明の詳細な説明】
【技術分野】
【０００１】  この発明は、原付玩具自動車の底面に永久磁石を設け、これと組み合わせ使用する非磁性体で帯状の立体車道は、中央部表面に細目で帯状の金属レールを設けて立体状でループ状に形成し、原付玩具自動車の走行時は永久磁石と金属レールの吸引力により脱落することなく、あらゆる方向に走行できる原付玩具自動車セットに関するものである。
【背景技術】
【０００２】  従来の原付玩具自動車は自重によるタイヤの摩擦力で、平面車道上を単純に水平方向へ走るのみだった。また、車両走行玩具の底面に永久磁石を設けて、走行路の中央部に磁性板を設け、磁石の吸引力で脱輪や脱落することもなく走行させようとする構想のものがあった。これは走行車両玩具の底面に、永久磁石を前後に２個設け、これを走行させる走行路は表・裏同じ形状として、表裏両面を車両走行玩具が走行できるようにし、立体状に組み立てて多くの支持用の取付脚で構成する構想のものである。（例えば特許文献１参照）
【特許文献１】  特開平９−３１３７４４号公報
【発明が解決しようとする課題】
【０００３】  上記従来の原付玩具自動車によると、スピードは楽しめるがスリルまで味わうことはできず、水平方向の走行でスピードを楽しむためには、車道を敷くための広い場所を必要とし、それに二階の車道上に登るには長い斜めの車道やエレベータ装置等を必要とした。また、車両走行玩具によると、脱輪や逆転走行防止のため、永久磁石を台車の中心線に合わせ前後２箇所に設ける必要があり、位置選定に正確さを必要とするし、これを走行させる走行路は表裏両面を走行させる方式としているため、走行路の路面内に設ける磁性体は路面断面の中心線上に正確に設ける必要があるし、立体的に組み立てた走行路は多数の取付脚で支えるよう形成しなければならないので、製作コストが大幅に嵩むし、使用時多くの労力と技を必要とするため、小さい子供が遊びに興じることは困難である。
【課題を解決するための手段】
【０００４】  本発明は上記の欠点を解決することを目的とするもので、原付玩具自動車セットは、プラスチック材でなる原付玩具自動車と、この原付玩具自動車を走行させる立体車道とを備えた原付玩具自動車セットにおいて、前記原付玩具自動車には台車の底面の中心部に、板状で表面がＮ極またはＳ極となるように着磁された永久磁石を、前記立体車道と接触しない位置に設け、前記立体車道はプラスチック材でループ状に形成され、この立体車道の中央部一表面に、磁性体でなり帯状の金属レールを備えたものである。
【０００５】  また、上記立体車道はループ状に形成され、このループ状の途中の床に接する部分は水平車道およびＬ字曲折車道とし、これに接続される螺旋車道、ジェットコースタ車道、捩れ車道、垂直車道および宙返り車道を、一個または複数個組み合わせて構成したものである。
【０００６】  また、上記立体車道はループ状に形成され、このループ状の途中の床に接する部分は水平車道およびＬ字曲折車道とし、これに接続される螺旋車道、ジェットコースタ車道、捩れ車道、垂直車道または宙返り車道のそれぞれを、一個または複数個組み合わせて構成したものである。
【０００７】  また、上記立体車道はループ状に形成され、このループ状の途中の床に接する部分の水平車道およびＬ字曲折車道には、Ｌ字状の台棒の両端を両水平車道の側面に嵌合自在にした安定台を形成するように構成したものである。
【発明の効果】
【０００８】  上記のように本発明の原付玩具自動車セットによれば、原付玩具自動車には台車の底面の中心部に、長方形で板状の表面がＳ極またはＮ極となるように着磁した永久磁石を、前記立体車道に接触しない位置に設け、前記立体車道はループ状に形成され、この立体車道の中央部一表面に磁性体でなり帯状の金属レールを備えるように構成したので、永久磁石は一カ所の設置で位置に正確さを要せず、金属レールも表面設置で正確さを要しないし、脱輪、脱落や逆転走行も防止できる。
【０００９】  また、立体車道はループ状に形成し、このループ状の途中の床に接する部分は水平車道およびＬ字状曲折車道とし、これに接続される螺旋車道、ジェットコースタ車道、捩れ車道、垂直車道および宙返り車道を、一個または複数個組み合わせるように形成し、それに、立体車道のループ状の途中の床に接する部分の水平車道、Ｌ字曲折車道には、Ｌ字状の台棒の両端を両水平車道の側面に嵌合自在とし、差し込んで安定台を形成するよう構成したので、組み立てた立体車道が倒れ難くなり、支持用の取付脚は省略でき製造コストを大幅に低減できるし、使用時の組み立て作業も大幅に短縮できる。
【発明を実施するための最良の形態】
【００１０】実施の形態１。
（イ）、図１（Ａ）のようにプラスチック材でなる原付玩具自動車１の台車２の底面に  、長方形で板状の永久磁石３の表面が、車輪４の両輪接地面を結ぶ線より、僅かな間隔  α（１〜２ｍｍ程度）だけ内側になるように設ける。
（ロ）、永久磁石３は市販中の円柱状で平板のものを並べて代用してもよい。
（ハ）、永久磁石３の着磁は広い面がＮまたはＳ極となるように着磁し、着磁力はあま  り強くしない。強すぎると車輪４のタイヤがくぼみ走行速度を減少させるので、車重量  や走行遠心力に打ち勝って脱出しない程度の吸引力があればよい。
（ニ）、一方これと組み合わせ使用する立体車道５は、
ａ、図１（Ｂ）のようにプラスチック材でなる帯状の立体車道５は、幅が車幅程度で      途中に螺旋車道５Ａ、ジェットコースタ車道５Ｂ、宙返り車道５Ｃ、垂直車道５Ｄ      等を挿入して終りのないループ状に形成し、中央部に幅が永久磁石３と同程度の強      磁性体でなる帯状で薄板の金属レール６を全周に設け、台７に固定する。ただし、      この立体車道５は途中を水平方向に曲げて延長し、好みの形の車道を追加して、大      きく立体化することもできる。
ｂ、図４は、原付き玩具自動車セットの他の実施の形態の一例を示す斜視図であり、      木材やプラスチック材でなるシート板９に、磁性体でなる細めの帯状で薄板の金属      レール６を好みの形に加工し固着する。またミニ化して吊下げ可能にもできる。【００１１】実施の形態２。
この実施形態について図面とともに説明する。
図５（Ｃ）はこの発明の実施の形態２を示す原付玩具自動車の走行状態斜視図、図５（Ｄ）は原付玩具自動車と組み合わせ使用する立体車道の斜視図、図６は立体車道のＹ−Ｙ線断面図、図７は立体車道を、箱状台に固着一体化したものの斜視図である。図において実施の形態１と同様なものは、同じ符号をつけてその説明を省略する。【００１２】  ブラスチック材でなる原付玩具自動車１の台車２の底面中心部に、長方形で板状の表面がＮ極またはＳ極となるよう着磁された永久磁石３を、立体車道５に接触しない位置に設け、かつ長寸法の辺が走行方向に沿うようにする。この永久磁石３は市販中の円柱状で平板のものを並べて代用してもよい。また着磁力は強すぎると車輪４のタイヤがくぼみ走行速度を減少させるので、車重量や走行遠心力に打ち勝って脱輪、脱落しない程度とする。【００１３】  上記と組み合わせ使用する立体車道５はプラスチック材でなりループ状に形成され、幅が車幅より少し大きめで帯状の平板とし、中央部一表面に磁性体でなり細めの帯状で薄板の金属レール６を、のりまたは両面テープ等で貼り付けるように構成し、製造コストの低減を計るようにする。【００１４】  上記立体車道５はループ状に形成され、このループ状の途中の床に接する部分は水平車道５ＦおよびＬ字曲折車道５Ｅとし、これに接続される螺旋車道５Ａ、ジェットコースタ車道５Ｂ、捩り車道５Ｇ、垂直車道５Ｄまたは宙返り車道５Ｃ等の一体を、一個または複数個組み込んで立体状となるように構成し、あらゆる姿勢での走行を可能にする。また、通常は分割連結を可能とし収納に便利なようにするが、連続で一体化することもできる。【００１５】  上記立体車道５はループ状に形成され、このループ状の途中の床に接する部分は水平車道５ＦおよびＬ字曲折車道５Ｅとし、これに接続される螺旋車道５Ａ、ジェットコースタ車道５Ｂ、捩り車道５Ｇ、垂直車道５Ｄまたは宙返り車道５Ｃ等のいずれかを、一個または複数個組み込んで立体状となるように構成してもよい。【００１６】  前記立体車道５はループ状に形成され、このループ状の途中の床に接する部分の水平車道５ＦおよびＬ字曲折車道５Ｅには、Ｌ字状の台棒１０の両端１０Ａを両水平車道５Ｆの側面に嵌合自在にし差し込んで、立体車道を安定させる安定台となるように構成し、床上に置いても倒れないようにする。ただし、水平車道５Ｆ、Ｌ字曲折車道５Ｅ等床に接する部分を重くすれば、台棒１０は省くことができる。【００１７】  上記のように原付玩具自動車１に設ける長方形の永久磁石３は、台車２の底面中央部の一カ所に設けるようにしたので、進行方向の前後の中心位置に正確に設けなくてよい。【００１８】  上記のように立体車道５の中央部に設ける金属レール６は、板状の一表面に貼り付ける工法とし、片面走行方式としたので走行路の断面中心線上に正確に設けなくてよい。【００１９】実施の形態３。
図７は、この発明の実施の形態３を示す原付き玩具自動車セットの斜視図である。プラスチック材でなる中空の円柱や角柱型の箱状台１１に、実施の形態２と同様の立体車道５を、組み込み固着して一体化し、台棒１０は省いて構成する。幼児用として最適である。【００２０】  次にこの原付玩具自動車セットの使用方法について説明する。
立体車道５の上に電源を投入した原付玩具自動車１を乗せると、永久磁石３と金属レール６は吸引力で僅かな空間を介して常に向き合い、螺旋車道５Ａ、ジェットコースタ車道５Ｂ、水平車道５Ｆ、Ｌ字曲折車道５Ｅ、宙返り車道５Ｃ等を脱輪、脱落や逆転方向走行をすることもなく、金属レール６に沿って畳の上を走ると同じ速度で走行を続けられる。【００２１】    この発明の上記走行原理については次の実験が証明してくれる。
（イ）、脱輪、脱落や逆転方向走行をしないことについて
ａ、帯状の金属板の上に紙を敷いて長方形の永久磁石を縦に置き、永久磁石全体を直      角方向に金属板の縁から引き出し手を離すと、元の位置に引き戻される。
ｂ、次に永久磁石の先端部分のみを金属板の縁から引き出し手を離すと、先端部分の      みが元の位置に引き戻される。
（ロ）、走行速度について
ａ、金属板の上に直接永久磁石を置けば、永久磁石は全然動かせない。
ｂ、間に紙を挟んで永久磁石を置けば、永久磁石と紙の摩擦力に打ち勝つだけの力で      横から押せば簡単に動かすことができる。
ｃ、間に細い電線を挟んで永久磁石を置けば、殆ど力を加えないでも水平方向に動か      すことができる。
すなわち、永久磁石３の吸引力は原付玩具自動車１の脱輪や脱落を防止することの    みに働き、走行速度を減少させるブレーキ力としては働かないので、走行速度は減少    せずモータ容量や乾電池容量を大きくする必要もない。【００２２】  上記のように立体車道５を片面走行方式としたが、螺旋車道５Ａ、宙返り車道５Ｃ、垂直車道５Ｄ等を挿入することで、裏返し走行、横向き走行、垂直走行等あらゆる姿勢の走行が楽しめ、スリルも味わうことができるし、広い場所も必要としない。【００２３】  本発明の実施例のための実験によると、原付玩具自動車１が車長８５ｍｍ車幅４０ｍｍ程度の市販中のもので、永久磁石３は百円ショップの１５φｍｍのもの２個（並べて長方形にする）、金属レール６は厚さ０．１ｍｍ幅２０ｍｍ程度の市販中の金属菓子箱材料を、切断して使用する程度で成功した。このため現在市販中の水平方向に走行させるだけの原付玩具セットに追加する資材代、製作コストも多くを必要とせず商品化して採算がとれる。【００２４】  この発明の、電源に使用する単３・４乾電池も、現在充電式のニッケル水素乾電池等が市販されており、５００回以上充電が可能であり、充電器を含めての購入代金は１／３以下、従来の乾電池２５０個廃棄に対し、ニッケル水素乾電池一個のみの廃棄で済み、大幅な省資源化が達成できる現状で、この面でも商品化の追い風になっている。
【図面の簡単な説明】
【００２５】
【図１】この発明の実施の形態１を示す原付玩具自動車セットの斜視図で、（Ａ）は原付玩具自動車の走行状態を示す斜視図、（Ｂ）は立体車道を示す斜視図である。
【図２】この発明の原付玩具自動車に永久磁石が装着される状態を示す図である。
【図３】この発明の図１（Ｂ）の立体車道Ｘ−Ｘ線断面図である。
【図４】この発明の原付玩具自動車セットの、他の実施の形態の一例を示す斜視図である。
【図５】この発明の実施の形態２を示す原付玩具自動車セットの斜視図で、（Ｃ）は原付玩具自動車の走行状態を示す斜視図、（Ｄ）は立体車道を示す斜視図である。
【図６】この発明の図５（Ｄ）の立体車道Ｙ−Ｙ線断面図である。
【図７】この発明の実施の形態３を示す原付玩具自動車セットの立体車道を示す斜視図である。
【符号の説明】
【００２６】    １  原付玩具自動車            ２  台車                  ３  永久磁石
４  車輪                      ５  立体車道              ５Ａ  螺旋車道
５Ｂ  ジェットコースタ車道    ５Ｃ  宙返り車道          ５Ｄ  垂直車道
５Ｅ  Ｌ字曲折車道            ５Ｆ  水平車道            ５Ｇ  捩り車道
６  金属レール                １０  台棒                １０Ａ  両端
１１  箱状台
【図１】
2008132306.tif 000003
【図２】
2008132306.tif 000004
【図３】
2008132306.tif 000005
【図４】
2008132306.tif 000006
【図５】
2008132306.tif 000007
【図６】
2008132306.tif 000008
【図７】
2008132306.tif 000009
【手続補正書】
【提出日】平成19年10月13日(2007.10.13)
【手続補正１】
【補正対象書類名】特許請求の範囲
【補正対象項目名】全文
【補正方法】変更
【補正の内容】
【特許請求の範囲】
【請求項１】
プラスチック材でなる原付玩具自動車と、この原付玩具自動車を走行させる立体車道とを備えた原付玩具自動車セットにおいて、前記原付玩具自動車には台車の底面の中心部に、長方形で板状の表面がＮ極またはＳ極となるように着磁された永久磁石を、長寸法の辺が走行方向に沿うようにし、前記立体車道と接触しない位置に設け、前記立体車道はプラスチック材でループ状に形成され、この立体車道の中央部一表面に、磁性体でなり帯状の金属レールを備えたことを特徴とする原付玩具自動車セット。
【請求項２】
前記立体車道はループ状に形成され、このループ状の途中の床に接する部分は水平車道およびＬ字曲折車道とし、これに接続される螺旋車道、ジェットコースタ車道、捩れ車道、垂直車道および宙返り車道を一体としたものを、一個または複数個組み合わせて構成することを特徴とする請求項１記載の原付玩具自動車セット。
【請求項３】
前記立体車道はループ状に形成され、このループ状の途中の床に接する部分は水平車道およびＬ字曲折車道とし、これに接続される螺旋車道、ジェットコースタ車道、捩れ車道、垂直車道および宙返り車道のいずれかを、一個または複数個組み合わせて構成することを特徴とする請求項１記載の原付玩具自動車セット。
【請求項４】
前記立体車道はループ状に形成され、このループ状の途中の床に接する部分の水平車道およびＬ字曲折車道には、Ｌ字状の台棒の両端を両水平車道の側面に嵌合自在にし差し込んで、安定台を形成することを特徴とする請求項２または３記載の原付玩具自動車セット。
【手続補正２】
【補正対象書類名】明細書
【補正対象項目名】０００４
【補正方法】変更
【補正の内容】
【０００４】  本発明は上記の欠点を解決することを目的とするもので、原付玩具自動車セットは、プラスチック材でなる原付玩具自動車と、この原付玩具自動車を走行させる立体車道とを備えた原付玩具自動車セットにおいて、前記原付玩具自動車には台車の底面の中心部に、長方形で板状の表面がＮ極またはＳ極になるように着磁された永久磁石を、長寸法の辺が走行方向に沿うようにし、前記立体車道と接触しない位置に設け、前記立体車道はプラスチック材でループ状に形成され、この立体車道の中央部一表面に、磁性体でなり帯状の金属レールを備えたものである。
【手続補正３】
【補正対象書類名】明細書
【補正対象項目名】０００５
【補正方法】変更
【補正の内容】
【０００５】  また、上記立体車道はループ状に形成され、このループ状の途中の床に接する部分は水平車道およびＬ字曲折車道とし、これに接続される螺旋車道、ジェットコースタ車道、捩れ車道、垂直車道および宙返り車道を一体としたものを、一個または複数個組み合わせて構成したものである。
【手続補正４】
【補正対象書類名】明細書
【補正対象項目名】０００７
【補正方法】変更
【補正の内容】
【０００７】  また、上記立体車道はループ状に形成され、このループ状の途中の床に接する部分の水平車道およびＬ字曲折車道には、Ｌ字状の台棒の両端を両水平車道の側面に嵌合自在にし差し込んで、安定台を形成するように構成したものである。
【手続補正５】
【補正対象書類名】明細書
【補正対象項目名】０００８
【補正方法】変更
【補正の内容】
【０００８】  上記のように本発明の原付玩具自動車セットによれば、原付玩具自動車には台車の底面の中心部に、長方形で板状の表面がＮ極またはＳ極となるように着磁した永久磁石を、長寸法の辺が走行方向に沿うようにし、前記立体車道と接触しない位置に設け、前記立体車道はループ状に形成され、この立体車道の中央部一表面に磁性体でなり帯状の金属レールを備えるように構成したので、永久磁石は一カ所の設置で位置に正確さを要せず、金属レールも表面設置で正確さを要しないし、脱輪、脱落や逆転走行も防止できる。
【手続補正６】
【補正対象書類名】明細書
【補正対象項目名】００１４
【補正方法】変更
【補正の内容】
【００１４】  上記立体車道５はループ状に形成され、このループ状の途中の床に接する部分は水平車道５ＦおよびＬ字曲折車道５Ｅとし、これに接続される螺旋車道５Ａ、ジェットコースタ車道５Ｂ、捩れ車道５Ｇ、垂直車道５Ｄまたは宙返り車道５Ｃを一体としたものを、一個または複数個組み込んで立体状となるように構成し、あらゆる姿勢での走行を可能にする。また、通常は分割連結を可能とし収納に便利なようにするが、連続で一体化することもできる。
【手続補正７】
【補正対象書類名】明細書
【補正対象項目名】００１５
【補正方法】変更
【補正の内容】
【００１５】  上記立体車道５はループ状に形成され、このループ状の途中の床に接する部分は水平車道５ＦおよびＬ字曲折車道５Ｅとし、これに接続される螺旋車道５Ａ、ジェットコースタ車道５Ｂ、捩れ車道５Ｇ、垂直車道５Ｄまたは宙返り車道５Ｃ等のいずれかを、一個または複数個組み込んで立体状となるように構成してもよい。
【手続補正８】
【補正対象書類名】図面
【補正対象項目名】図５
【補正方法】変更
【補正の内容】
【図５】
2008132306.tif 000010
【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
プラスチック材でなる原付玩具自動車と、この原付玩具自動車を走行させる立体車道とを備えた原付玩具自動車セットにおいて、前記原付玩具自動車には台車の底面の中心部に、長方形で板状の表面がＮ極またはＳ極となるように着磁された永久磁石を、長寸法の辺が走行方向に沿うようにし、前記立体車道と接触しない位置に設け、前記立体車道はプラスチック材でループ状に形成され、この立体車道の中央部一表面に、磁性体でなり帯状の金属レールを備え、かつ、このループ状の途中の床に接する部分は水平車道およびＬ字曲折車道とし、これに接続される螺旋車道、ジェットコースタ車道、捩れ車道、垂直車道および宙返り車道を一体としたものを、一個または複数個組み合わせながら、前記水平車道およびＬ字曲折車道には、Ｌ字状の台棒の両端を両水平車道の側面に嵌合自在にし差し込んで、安定台を形成することを特徴とする原付玩具自動車セット。
【請求項２】
プラスチック材でなる原付玩具自動車と、この原付玩具自動車を走行させる立体車道とを備えた原付玩具自動車セットにおいて、前記原付玩具自動車には台車の底面の中心部に、長方形で板状の表面がＮ極またはＳ極となるように着磁された永久磁石を、長寸法の辺が走行方向に沿うようにし、前記立体車道と接触しない位置に設け、前記立体車道はプラスチック材でループ状に形成され、この立体車道の中央部一表面に、磁性体でなり帯状の金属レールを備え、かつ、このループ状の途中の床に接する部分は水平車道およびＬ字曲折車道とし、これに接続される螺旋車道、ジェットコースタ車道、捩れ車道、垂直車道および宙返り車道のいずれかを、一個または複数個組み合わせながら、前記水平車道およびＬ字曲折車道には、Ｌ字状の台棒の両端を両水平車道の側面に嵌合自在にし差し込んで、安定台を形成することを特徴とする原付玩具自動車セット。
【手続補正２】
【補正対象書類名】明細書
【補正対象項目名】００１４
【補正方法】変更
【補正の内容】
【００１４】
上記立体車道５はループ状に形成され、このループ状の途中の床に接する部分は水平車道５ＦおよびＬ字曲折車道５Ｅとし、これに接続される螺旋車道５Ａ、ジェットコースタ車道５Ｂ、捩れ車道５Ｇ、垂直車道５Ｄおよび宙返り車道５Ｃを一体としたものを、一個または複数個組み込んで立体状となるように構成し、あらゆる姿勢での走行を可能にする。また、通常は分割連結を可能とし収納に便利なようにするが、連続で一体化することもできる。